【手続補正書】
【提出日】平成20年4月18日(2008.4.18)
【手続補正１】
【補正対象書類名】明細書
【補正対象項目名】特許請求の範囲
【補正方法】変更
【補正の内容】
【特許請求の範囲】
【請求項１】貸出媒体を受け付けてその貸出媒体が有する有価価値の範囲内で遊技媒体を貸し出す遊技媒体貸出手段と、貸出媒体の利用に関する情報、又は該貸出媒体の利用に対して定められるサービス価値に関する情報、を該貸出媒体の利用に応じて適宜管理装置に送信する送信手段と、該送信手段により送信されたサービス価値に関する情報を累積する前記管理装置から、該累積サービス価値に関する情報を受信する受信手段と、該受信手段により受信した該サービス価値に関する情報を表示する表示部とを備えた遊技媒体貸出機において、所定の条件が成立することにより抽選権を発生させる抽選権発生手段と、該抽選権が発生した場合には、該表示部に抽選が行われている遊技媒体貸出機に対応する台番号とその抽選処理を表示させ、該抽選権に基づく抽選に当選した場合、前記累積サービス価値に応じた特典を遊技者に対して付与する特典付与手段と、を備えてなることを特徴とする遊技媒体貸出機。
【請求項２】貨幣を受け付けてその貨幣が有する有価価値の範囲内で遊技媒体を貸し出す遊技媒体貸出手段と、貨幣の利用に関する情報、又は該貨幣の利用に対して定められるサービス価値に関する情報、を該貨幣の利用に応じて適宜管理装置に送信する送信手段と、該送信手段により送信されたサービス価値に関する情報を累積する前記管理装置から、該累積サービス価値に関する情報を受信する受信手段と、該受信手段により受信した該サービス価値に関する情報を表示する表示部とを備えた遊技媒体貸出機において、所定の条件が成立することにより抽選権を発生させる抽選権発生手段と、該抽選権が発生した場合には、該表示部に抽選が行われている遊技媒体貸出機に対応する台番号とその抽選処理を表示させ、該抽選権に基づく抽選に当選した場合、前記累積サービス価値に応じた特典を遊技者に対して付与する特典付与手段と、を備えてなることを特徴とする遊技媒体貸出機。
【請求項３】遊技媒体を用いて所定の遊技を実行する複数台の遊技機と、貸出媒体を受け付けてその貸出媒体が有する有価価値の範囲内で遊技媒体を対応する遊技機に貸し出す遊技機設置島毎にグループ分けされた複数台の遊技媒体貸出機、及び／又は貨幣を受け付けてその貨幣が有する有価価値の範囲内で遊技媒体を対応する遊技機に貸し出す遊技機設置島毎にグループ分けされた複数台の遊技媒体貸出機と、該遊技機設置島毎にグループ分けされた複数台の遊技媒体貸出機と通信回路を介して相互に接続されて各遊技媒体貸出機と情報のやりとりを行う少なくとも一台以上の管理装置と、を備えた遊技場システムにおいて、前記遊技機設置島毎にグループ分けされた遊技媒体貸出機は、貸出媒体及び／又は貨幣の利用に関する情報、又は該貸出媒体及び／又は貨幣の利用に対して定められるサービス価値に関する情報、を該貸出媒体及び／又は貨幣の利用に応じて適宜管理装置に送信し、前記管理装置は、受信した貸出媒体及び／又は貨幣の利用に関する情報から定められるサービス価値、又は受信したサービス価値に関する情報におけるサービス価値、を該受信に応じて累積すると共に、前記遊技機設置島毎にグループ分けされた遊技媒体貸出機は、前記管理装置から、遊技機設置島毎に設定された当選確率テーブルに基づく当選確率情報と累積サービス価値に関する情報を受信すると共に、所定の条件が成立することにより抽選権が発生した場合には、前記当選確率情報に基づいて抽選を行い、前記遊技機設置島毎にグループ分けされた遊技媒体貸出機の表示部に抽選が行われている遊技媒体貸出機に対応する台番号とその抽選処理を表示させ、前記抽選権に基づく抽選に当選した場合、前記累積サービス価値に応じた特典を遊技者に対して付与する、ことを特徴とする遊技場システム。
【手続補正２】
【補正対象書類名】明細書
【補正対象項目名】００１２
【補正方法】変更
【補正の内容】
【００１２】
【課題を解決するための手段】本発明は、上記課題を解決すべくなされたもので、請求項１記載の遊技媒体貸出機は、貸出媒体を受け付けてその貸出媒体が有する有価価値の範囲内で遊技媒体を貸し出す遊技媒体貸出手段と、貸出媒体の利用に関する情報、又は該貸出媒体の利用に対して定められるサービス価値に関する情報、を該貸出媒体の利用に応じて適宜管理装置に送信する送信手段と、該送信手段により送信されたサービス価値に関する情報を累積する前記管理装置から、該累積サービス価値に関する情報を受信する受信手段と、該受信手段により受信した該サービス価値に関する情報を表示する表示部とを備えた遊技媒体貸出機において、所定の条件が成立することにより抽選権を発生させる抽選権発生手段と、該抽選権が発生した場合には、該表示部に抽選が行われている遊技媒体貸出機に対応する台番号とその抽選処理を表示させ、該抽選権に基づく抽選に当選した場合、前記累積サービス価値に応じた特典を遊技者に対して付与する特典付与手段と、を備えてなることを特徴とする。
【手続補正３】
【補正対象書類名】明細書
【補正対象項目名】００１３
【補正方法】変更
【補正の内容】
【００１３】
また、請求項２記載の遊技媒体貸出機は、貨幣を受け付けてその貨幣が有する有価価値の範囲内で遊技媒体を貸し出す遊技媒体貸出手段と、貨幣の利用に関する情報、又は該貨幣の利用に対して定められるサービス価値に関する情報、を該貨幣の利用に応じて適宜管理装置に送信する送信手段と、該送信手段により送信されたサービス価値に関する情報を累積する前記管理装置から、該累積サービス価値に関する情報を受信する受信手段と、該受信手段により受信した該サービス価値に関する情報を表示する表示部とを備えた遊技媒体貸出機において、所定の条件が成立することにより抽選権を発生させる抽選権発生手段と、該抽選権が発生した場合には、該表示部に抽選が行われている遊技媒体貸出機に対応する台番号とその抽選処理を表示させ、該抽選権に基づく抽選に当選した場合、前記累積サービス価値に応じた特典を遊技者に対して付与する特典付与手段と、を備えてなることを特徴とする。
【手続補正４】
【補正対象書類名】明細書
【補正対象項目名】００１４
【補正方法】変更
【補正の内容】
【００１４】
さらに、遊技装置は、遊技媒体を用いて所定の遊技を実行する遊技処理手段と、貸出媒体を受け付けてその貸出媒体が有する有価価値の範囲内で遊技媒体を貸し出す遊技媒体貸出手段と、貸出媒体の利用に関する情報、又は該貸出媒体の利用に対して定められるサービス価値に関する情報、を該貸出媒体の利用に応じて適宜管理装置に送信する送信手段と、受信した貸出媒体の利用に関する情報から定められるサービス価値、又は受信したサービス価値に関する情報におけるサービス価値、を該受信に応じて累積する前記管理装置から、該累積サービス価値に関する情報を受信する受信手段と、所定の条件が成立することにより抽選権を発生させる抽選権発生手段と、該抽選権に基づく抽選に当選した場合、前記累積サービス価値に応じた特典を遊技者に対して付与する特典付与手段とを備えている。
【手続補正５】
【補正対象書類名】明細書
【補正対象項目名】００１５
【補正方法】変更
【補正の内容】
【００１５】
そして、これらを遊技場におけるシステムとして構成した請求項３記載の遊技場システムは、遊技媒体を用いて所定の遊技を実行する複数台の遊技機と、貸出媒体を受け付けてその貸出媒体が有する有価価値の範囲内で遊技媒体を対応する遊技機に貸し出す遊技機設置島毎にグループ分けされた複数台の遊技媒体貸出機、及び／又は貨幣を受け付けてその貨幣が有する有価価値の範囲内で遊技媒体を対応する遊技機に貸し出す遊技機設置島毎にグループ分けされた複数台の遊技媒体貸出機と、該遊技機設置島毎にグループ分けされた複数台の遊技媒体貸出機と通信回路を介して相互に接続されて各遊技媒体貸出機と情報のやりとりを行う少なくとも一台以上の管理装置と、を備えた遊技場システムにおいて、前記遊技機設置島毎にグループ分けされた遊技媒体貸出機は、貸出媒体及び／又は貨幣の利用に関する情報、又は該貸出媒体及び／又は貨幣の利用に対して定められるサービス価値に関する情報、を該貸出媒体及び／又は貨幣の利用に応じて適宜管理装置に送信し、前記管理装置は、受信した貸出媒体及び／又は貨幣の利用に関する情報から定められるサービス価値、又は受信したサービス価値に関する情報におけるサービス価値、を該受信に応じて累積すると共に、前記遊技機設置島毎にグループ分けされた遊技媒体貸出機は、前記管理装置から、遊技機設置島毎に設定された当選確率テーブルに基づく当選確率情報と累積サービス価値に関する情報を受信すると共に、所定の条件が成立することにより抽選権が発生した場合には、前記当選確率情報に基づいて抽選を行い、前記遊技機設置島毎にグループ分けされた遊技媒体貸出機の表示部に抽選が行われている遊技媒体貸出機に対応する台番号とその抽選処理を表示させ、前記抽選権に基づく抽選に当選した場合、前記累積サービス価値に応じた特典を遊技者に対して付与する、ことを特徴とする。
【手続補正６】
【補正対象書類名】明細書
【補正対象項目名】００２１
【補正方法】変更
【補正の内容】
【００２１】
ここで、前記サービス価値は、貸出媒体を発行する際に遊技者から徴収する場合、貨幣を投入する際に遊技者から徴収する場合、遊技媒体を貸し出す際に遊技者から徴収する場合など、特典ゲームの参加料として、種々のタイミングで遊技者から徴収することが可能であり、且つ現実的である。そして、徴収は、貸出媒体や投入貨幣の有価価値の中から徴収する場合、この有価価値に基づき貸し出された遊技媒体の中からされる徴収する場合などがある。
【手続補正７】
【補正対象書類名】明細書
【補正対象項目名】００２２
【補正方法】変更
【補正の内容】
【００２２】
また、前記抽選権は、貨幣の投入によって発生する場合、遊技媒体の貸し出し操作によって発生する場合、貸し出された遊技媒体の一部を徴収する場合など、所定の条件が成立することにより発生する。そして、抽選権は、抽選権の発生に伴って自動的に行使される場合、釦を設けて遊技者が所望するタイミングで行使される場合などがある。
【手続補正８】
【補正対象書類名】明細書
【補正対象項目名】００２３
【補正方法】変更
【補正の内容】
【００２３】
さらに、前記特典は、有価価値に換算された状態で、貸出媒体が有する有価価値に加算される場合、遊技媒体の払い出しである場合など、遊技者に対する有価価値の払い出しや、貸出媒体に基づかない遊技媒体の貸し出しなどの方法で付与される。
【手続補正９】
【補正対象書類名】明細書
【補正対象項目名】００２４
【補正方法】変更
【補正の内容】
【００２４】
また、前記受信手段により管理装置から受信した累積サービス価値に関する情報、抽選処理内容、及び抽選処理結果を少なくとも表示する表示手段をさらに備えることがより好ましい。表示されている累積サービス価値が高ければ高いほど、遊技者、遊技を傍観しているだけの者、遊技を一時的に止めている者及び来店したばかりの者の射幸心が高まるであろうし、抽選処理内容、及び抽選処理結果を表示することで、これらの者の興味が引き付けられる。この点で、表示手段は、客吸引力を生じさせ、これにより、遊技機の稼働率が向上して、遊技場全体の増収につながることとなる。従って、請求項３記載の遊技場システムにおいて、遊技者に対しては、特典ゲームに関する表示を常時視認できるよう、表示手段を遊技媒体貸出機や遊技機やその近傍に配置する一方、遊技を傍観しているだけの者、遊技を一時的に止めている者及び来店したばかりの者に対しては、これらの者が特典ゲームに関する表示を視認しやすいよう、表示手段を適度な大きさであって、人の目に付く場所に配置するのがより好ましい。
【手続補正１０】
【補正対象書類名】明細書
【補正対象項目名】００２５
【補正方法】変更
【補正の内容】
【００２５】
また、遊技場システムの構成として、前記遊技媒体貸出機は、いくつかのグループに分けられると共に、前記管理装置は、グループ毎にサービス価値を集計する構成を採用することができる。この構成によれば、グループ毎に集計された各累積サービス価値は、そのグループの遊技機で遊技する何れかの遊技者に対して還元される、即ち、遊技場内で複数の特典ゲームが実施されるものである。遊技場全体で一つの特典ゲームを実施するようにしてもよいが、グループ単位で特典ゲームを実施する（特典ゲームを実施しないグループが存在してもよい）場合、来客の誘導操作を比較的簡単に行うことができる。
【手続補正１１】
【補正対象書類名】明細書
【補正対象項目名】００２６
【補正方法】変更
【補正の内容】
【００２６】
例えば、遊技媒体貸出機を遊技機設置島毎にグループ分けし、グループ毎に当選確率の設定を可能とすれば、人気の少ない遊技機や新台であって営業的にアピールしたい遊技機を遊技機設置島（の一区画）に並べて設置すると共に、それを一つにグループ化し、このグループに対して高い当選確率を設定することで、来客は必然的にそれらの遊技機に流れることとなるから、遊技場における各遊技機の稼働率を平均化させ、且つ遊休している来客の数を減らして全ての遊技機の稼働率を向上させることが可能となる。
【手続補正１２】
【補正対象書類名】明細書
【補正対象項目名】０１２４
【補正方法】変更
【補正の内容】
【０１２４】
【発明の効果】以上の如く、本発明は、各遊技者の貸出媒体及び／又は貨幣の利用によってサービス価値が発生し、このサービス価値が適宜集められて管理装置にて集計され、各遊技者が所定の条件で獲得した抽選権を基にこの累積サービス価値の争奪を行うという複数人参加型の構成であり、遊技媒体貸出機の表示部に抽選が行われている遊技媒体貸出機に対応する台番号とその抽選処理が表示される構成であるため、遊技者の射幸心を煽り、遊技機の稼働率を上げて、遊技場全体の増収に結びつけることができる。